(57)【特許請求の範囲】
【請求項１】
左視用映像と右視用映像とを表示画面に交互に表示し、左視用映像の表示タイミングに同期して眼鏡の左眼を透光状態、右眼を遮光状態とし、右視用映像の表示タイミングに同期して前記眼鏡の右眼を透光状態、左眼を遮光状態とすることにより、三次元映像を再生可能な映像再生装置であって、
前記表示画面における映像の再生を制御する映像制御部と、
前記眼鏡の両眼の透光状態及び遮光状態を制御する眼鏡制御部と、
を備え、
映像の特殊再生を受け付けた場合、前記映像制御部は、右視用映像の表示タイミングおよび左視用映像の表示タイミングにおいて、それぞれ右視用映像及び左視用映像を順番に前記表示画面に表示する代わりに、右視用映像の表示タイミングおよび左視用映像の表示タイミングにおいて、右視用映像及び左視用映像の一方の映像を順番に前記表示画面に表示し、前記眼鏡制御部は前記眼鏡の両眼を透光状態とする、映像再生装置。
【請求項２】
映像再生の一時停止を受け付けた場合、前記映像制御部は右視用映像及び左視用映像の一方の停止フレームの映像を他方のフレームでも前記表示画面に表示し、前記眼鏡制御部は前記眼鏡の両眼を透光状態とする、請求項１に記載の映像再生装置。
【請求項３】
左視用映像と右視用映像とが含まれるフレームの順に、左視用映像と右視用映像とを表示画面に交互に表示し、左視用映像の表示タイミングに同期して眼鏡の左眼を透光状態、右眼を遮光状態とし、右視用映像の表示タイミングに同期して前記眼鏡の右眼を透光状態、左眼を遮光状態とすることにより、三次元映像を再生可能な映像再生装置であって、
前記表示画面における映像の再生を制御する映像制御部と、
前記眼鏡の両眼の透光状態及び遮光状態を制御する眼鏡制御部と、
を備え、
映像の特殊再生を受け付けた場合、前記映像制御部は前記フレームを間引いて左視用映像と右視用映像とを表示画面に交互に表示し、前記眼鏡制御部は、左視用映像及び右視用映像の一方の表示タイミングに同期して前記眼鏡の左眼及び右眼を交互に透光状態とし、かつ、他方の表示タイミングに同期して前記眼鏡の両眼を遮光状態とするか、または、左視用映像及び右視用映像の一方の表示タイミングに同期して前記眼鏡の両眼を透光状態とし、かつ、他方の表示タイミングに同期して前記眼鏡の両眼を遮光状態とする、映像再生装置。
【発明の詳細な説明】
【技術分野】
【０００１】
本発明は、映像再生装置に関し、特に、三次元映像を再生可能な映像再生装置に関する。
【背景技術】
【０００２】
下記特許文献１には、両眼に液晶シャッタを備える専用の眼鏡をユーザが着用することによって、表示画面上で三次元映像を視聴可能な映像表示装置が開示されている。当該映像表示装置においては、左視用映像と右視用映像とを所定の周期で表示画面に交互に表示する。そして、液晶シャッタを制御することによって、左視用映像の表示タイミングに同期して眼鏡の左眼を透光状態、右眼を遮光状態とし、右視用映像の表示タイミングに同期して眼鏡の右眼を透光状態、左眼を遮光状態とすることにより、表示画面に三次元映像を表示する。
【先行技術文献】
【特許文献】
【０００３】
【特許文献１】特許第３２７３０７４号公報
【発明の概要】
【発明が解決しようとする課題】
【０００４】
しかしながら、上記のような三次元映像を表示する映像表示装置において、早送り再生や巻き戻し再生等の特殊再生（「トリックプレイ」とも称される）を行う場合には、左視用映像と右視用映像とのペアを維持するのが難しく、ペアがずれた場合には違和感のある映像が表示されることとなるため、三次元映像を表示しながら特殊再生を行うことが困難である。
【０００５】
本発明はかかる事情に鑑みて成されたものであり、三次元映像を再生可能な映像再生装置において、簡易な処理によって違和感の無い特殊再生を行うことが可能な映像再生装置を得ることを目的とするものである。
【課題を解決するための手段】
【０００６】
本発明の第１の態様に係る映像再生装置は、左視用映像と右視用映像とを表示画面に交互に表示し、左視用映像の表示タイミングに同期して眼鏡の左眼を透光状態、右眼を遮光状態とし、右視用映像の表示タイミングに同期して前記眼鏡の右眼を透光状態、左眼を遮光状態とすることにより、三次元映像を再生可能な映像再生装置であって、前記表示画面における映像の再生を制御する映像制御部と、前記眼鏡の両眼の透光状態及び遮光状態を制御する眼鏡制御部と、を備え、映像の特殊再生を受け付けた場合、前記映像制御部は右視用映像及び左視用映像の一方を他方の映像の表示タイミングでも前記表示画面に表示し、前記眼鏡制御部は前記眼鏡の両眼を透光状態とすることを特徴とするものである。
【０００７】
第１の態様に係る映像再生装置によれば、映像の特殊再生を受け付けた場合、映像制御部は右視用映像及び左視用映像の一方を他方の映像の表示タイミングでも表示画面に表示し、眼鏡制御部は眼鏡の両眼を透光状態とする。このように、右視用映像及び左視用映像の一方を表示画面に表示することで、二次元映像を表示しながら早送り再生や巻き戻し再生等の特殊再生を行う。これにより、左視用映像と右視用映像とのペアがずれることに起因する映像の違和感を回避できるため、簡易な処理によって違和感の無い特殊再生を行うことが可能となる。また、特殊再生を行う場合には、眼鏡制御部は眼鏡の両眼を透光状態とするため、左眼及び右眼の一方が遮光状態とされることに起因する輝度の低下を防止することが可能となる。
【０００８】
本発明の第２の態様に係る映像再生装置は、第１の態様に係る映像再生装置において特に、映像再生の一時停止を受け付けた場合、前記映像制御部は右視用映像及び左視用映像の一方の停止フレームの映像を他方のフレームでも前記表示画面に表示し、前記眼鏡制御部は前記眼鏡の両眼を透光状態とすることを特徴とするものである。
【０００９】
第２の態様に係る映像再生装置によれば、映像再生の一時停止を受け付けた場合、映像制御部は右視用映像及び左視用映像の一方の停止フレームの映像を他方のフレームでも表示画面に表示し、眼鏡制御部は眼鏡の両眼を透光状態とする。このように、映像再生の一時停止を受け付けた場合には、映像制御部は右視用映像及び左視用映像の一方の停止フレームの映像を表示画面に表示することで、二次元映像を表示しながら映像再生の一時停止を行う。これにより、左視用映像と右視用映像とのペアがずれることに起因する映像の違和感を回避できるため、簡易な処理によって違和感の無い一時停止を行うことが可能となる。また、映像再生の一時停止を受け付けた場合には、眼鏡制御部は眼鏡の両眼を透光状態とするため、左眼及び右眼の一方が遮光状態とされることに起因する輝度の低下を防止することが可能となる。
【発明の効果】
【００１０】
本発明によれば、三次元映像を再生可能な映像再生装置において、簡易な処理によって違和感の無い特殊再生を行うことが可能となる。
【図面の簡単な説明】
【００１１】
【図１】本発明の実施の形態に係る映像配信システムの全体構成を示す図である。
【図２】ＳＴＢの構成を簡略化して示すブロック図である。
【図３】テレビにおいて三次元映像のコンテンツをノーマル再生する場合のＳＴＢの処理を示す図である。
【図４】テレビにおいて三次元映像のコンテンツを特殊再生する場合のＳＴＢの処理を示す図である。
【図５】テレビにおいて三次元映像のコンテンツを特殊再生する場合のＳＴＢの処理を示す図である。
【図６】テレビにおいて映像再生の一時停止を行う場合のＳＴＢの処理を示す図である。
【図７】テレビにおいて三次元映像のコンテンツを特殊再生する場合のＳＴＢの処理の変形例を示す図である。
【図８】テレビにおいて三次元映像のコンテンツを特殊再生する場合のＳＴＢの処理の変形例を示す図である。
【発明を実施するための形態】
【００１２】
以下、本発明の実施の形態について、図面を用いて詳細に説明する。なお、異なる図面において同一の符号を付した要素は、同一又は相応する要素を示すものとする。
【００１３】
図１は、本発明の実施の形態に係る映像配信システム１の全体構成を示す図である。図１に示すように映像配信システム１は、映像配信装置としてのサーバ２と、当該サーバ２とＩＰ（Internet Protocol）ネットワーク等の通信ネットワーク３を介して接続される、映像再生装置としてのＳＴＢ（Set Top Box）４と、液晶表示装置等のテレビ５と、ハードディスク等の記憶部６と、三次元映像を視聴するためにユーザが着用する眼鏡７とを備えて構成されている。眼鏡７は、左眼８Ｌ及び右眼８Ｒを有している。なお、記憶部６はＳＴＢ４に内蔵されていてもよい。また、ＳＴＢ４の機能がテレビ５に内蔵されていてもよい。
【００１４】
サーバ２は、通信ネットワーク３を介してＳＴＢ４にコンテンツの映像信号を送信する。ＳＴＢ４は、受信した映像信号に対してデコード等の処理を行って、当該処理後の映像信号を記憶部６に記憶する。また、ＳＴＢ４は、記憶部６から読み出した映像信号をテレビ５に送信することにより、テレビ５において映像を再生する。ＳＴＢ４は、テレビ５において二次元映像を再生可能であるとともに、三次元映像を再生することも可能である。三次元映像を視聴する場合には、ユーザは眼鏡７を着用することができる。
【００１５】
図２は、ＳＴＢ４の構成を簡略化して示すブロック図である。図２の接続関係で示すように、ＳＴＢ４は、命令受信部１１、命令処理部１２、映像制御部１３、映像送信部１４、眼鏡制御部１５、及び制御信号送信部１６を備えて構成されている。
【００１６】
図３は、テレビ５において三次元映像のコンテンツをノーマル再生（特殊再生ではない通常の再生。つまり１倍速再生）する場合のＳＴＢ４の処理を示す図である。図２を参照して、命令受信部１１は、ノーマル再生を指定する命令信号Ｓ１を、例えばリモコン（図示しない）から受信することにより、ノーマル再生の実行命令を受け付ける。命令受信部１１は、受信した命令信号Ｓ１を命令処理部１２に入力する。命令処理部１２は、ノーマル再生を指定する制御信号Ｓ２及び制御信号Ｓ４を、映像制御部１３及び眼鏡制御部１５にそれぞれ入力する。
【００１７】
映像制御部１３は、上記コンテンツの映像信号Ｓ３を記憶部６から読み出して映像送信部１４に入力する。映像送信部１４は、入力された映像信号Ｓ３をテレビ５に向けて送信する。三次元映像のノーマル再生を行う場合には、人間の両眼視差を反映した左視用映像と右視用映像とが所定の周期（例えば１／６０秒周期）で交互に表示される。図３に示した例では、第０フレームの左視用映像Ｆ０Ｌ、第０フレームの右視用映像Ｆ０Ｒ、第１フレームの左視用映像Ｆ１Ｌ、第１フレームの右視用映像Ｆ１Ｒ、第２フレームの左視用映像Ｆ２Ｌ、第２フレームの右視用映像Ｆ２Ｒ、第３フレームの左視用映像Ｆ３Ｌ、第３フレームの右視用映像Ｆ３Ｒ、・・・が、この順にテレビ５の表示画面に表示される。
【００１８】
眼鏡制御部１５は、眼鏡７の左眼８Ｌ及び右眼８Ｒの各々に組み込まれた液晶シャッタを制御するための制御信号Ｓ５を、制御信号送信部１６に入力する。制御信号送信部１６は、制御信号Ｓ５を眼鏡７に向けて無線送信する。図３に示すように、三次元映像のノーマル再生を行う場合には、各フレームの左視用映像Ｆ０Ｌ，Ｆ１Ｌ，Ｆ２Ｌ，Ｆ３Ｌ，・・・をテレビ５に表示するタイミングに同期して、眼鏡７の左眼８Ｌが透光状態（ＯＮ）、右眼８Ｒが遮光状態（ＯＦＦ）とされ、各フレームの右視用映像Ｆ０Ｒ，Ｆ１Ｒ，Ｆ２Ｒ，Ｆ３Ｒ，・・・をテレビ５に表示するタイミングに同期して、眼鏡７の右眼８Ｒが透光状態（ＯＮ）、左眼８Ｌが遮光状態（ＯＦＦ）とされる。
【００１９】
図４は、テレビ５において三次元映像のコンテンツを特殊再生（この例では２倍速の早送り再生）する場合のＳＴＢ４の処理を示す図である。図２を参照して、命令受信部１１は、２倍速の早送り再生を指定する命令信号Ｓ１を、例えばリモコン（図示しない）から受信することにより、２倍速の早送り再生の実行命令を受け付ける。命令受信部１１は、受信した命令信号Ｓ１を命令処理部１２に入力する。命令処理部１２は、２倍速の早送り再生を指定する制御信号Ｓ２及び制御信号Ｓ４を、映像制御部１３及び眼鏡制御部１５にそれぞれ入力する。
【００２０】
映像制御部１３は、上記コンテンツの映像信号Ｓ３のうち、左視用映像及び右視用映像の一方（この例では左視用映像）の映像信号Ｓ３Ａを記憶部６から読み出す。そして、映像信号Ｓ３Ａに含まれる複数のフレームの中から、早送りの再生速度に応じてフレームを間引いて、早送り再生用の映像信号を生成することにより、当該処理後の映像信号Ｓ３Ａを映像送信部１４に入力する。映像送信部１４は、入力された映像信号Ｓ３Ａをテレビ５に向けて送信する。図４に示した例では、第０フレームの左視用映像Ｆ０Ｌ、第１フレームの左視用映像Ｆ１Ｌ、第２フレームの左視用映像Ｆ２Ｌ、第３フレームの左視用映像Ｆ３Ｌ、・・・が、この順にテレビ５の表示画面に表示される。つまり、早送り再生を行う場合には、左視用映像が、三次元映像の再生時に右視用映像を表示するタイミングでも表示画面に表示される。
【００２１】
眼鏡制御部１５は、眼鏡７の左眼８Ｌ及び右眼８Ｒの各々に組み込まれた液晶シャッタを制御するための制御信号Ｓ５を、制御信号送信部１６に入力する。制御信号送信部１６は、制御信号Ｓ５を眼鏡７に向けて無線送信する。図４に示すように、早送り再生を行う場合には、眼鏡７の左眼８Ｌ及び右眼８Ｒはいずれも透光状態（ＯＮ）とされる。
【００２２】
図５は、テレビ５において三次元映像のコンテンツを特殊再生（この例では２倍速の巻き戻し再生）する場合のＳＴＢ４の処理を示す図である。図２を参照して、命令受信部１１は、２倍速の巻き戻し再生を指定する命令信号Ｓ１を、例えばリモコン（図示しない）から受信することにより、２倍速の巻き戻し再生の実行命令を受け付ける。命令受信部１１は、受信した命令信号Ｓ１を命令処理部１２に入力する。命令処理部１２は、２倍速の巻き戻し再生を指定する制御信号Ｓ２及び制御信号Ｓ４を、映像制御部１３及び眼鏡制御部１５にそれぞれ入力する。
【００２３】
映像制御部１３は、上記コンテンツの映像信号Ｓ３のうち、左視用映像及び右視用映像の一方（この例では左視用映像）の映像信号Ｓ３Ａを記憶部６から読み出す。そして、映像信号Ｓ３Ａに含まれる複数のフレームの中から、巻き戻しの再生速度に応じてフレームを間引いて、巻き戻し再生用の映像信号を生成することにより、当該処理後の映像信号Ｓ３Ａを映像送信部１４に入力する。映像送信部１４は、入力された映像信号Ｓ３Ａをテレビ５に向けて送信する。図５に示した例では、第２０フレームの左視用映像Ｆ２０Ｌ、第１９フレームの左視用映像Ｆ１９Ｌ、第１８フレームの左視用映像Ｆ１８Ｌ、第１７フレームの左視用映像Ｆ１７Ｌ、・・・が、この順にテレビ５の表示画面に表示される。つまり、巻き戻し再生を行う場合には、左視用映像が、三次元映像の再生時に右視用映像を表示するタイミングでも表示画面に表示される。
【００２４】
眼鏡制御部１５は、眼鏡７の左眼８Ｌ及び右眼８Ｒの各々に組み込まれた液晶シャッタを制御するための制御信号Ｓ５を、制御信号送信部１６に入力する。制御信号送信部１６は、制御信号Ｓ５を眼鏡７に向けて無線送信する。図５に示すように、巻き戻し再生を行う場合には、眼鏡７の左眼８Ｌ及び右眼８Ｒはいずれも透光状態（ＯＮ）とされる。
【００２５】
図６は、テレビ５において映像再生の一時停止を行う場合のＳＴＢ４の処理を示す図である。図２を参照して、命令受信部１１は、映像再生の一時停止を指定する命令信号Ｓ１を、例えばリモコン（図示しない）から受信することにより、映像再生の一時停止の実行命令を受け付ける。命令受信部１１は、受信した命令信号Ｓ１を命令処理部１２に入力する。命令処理部１２は、映像再生の一時停止を指定する制御信号Ｓ２及び制御信号Ｓ４を、映像制御部１３及び眼鏡制御部１５にそれぞれ入力する。
【００２６】
映像制御部１３は、制御信号Ｓ２が入力された時点で映像送信部１４に最後に入力したフレームを特定し、当該フレームの映像信号Ｓ３Ａをその後も継続して映像送信部１４に入力する。映像送信部１４は、入力された映像信号Ｓ３Ａをテレビ５に向けて送信する。図６に示した例では、第５フレームの左視用映像Ｆ５Ｌがテレビ５に表示された時刻Ｔ１に映像再生の一時停止が指定されており、時刻Ｔ１以降は左視用映像Ｆ５Ｌが継続してテレビ５の表示画面に表示される。つまり、映像再生の一時停止を行う場合には、左視用映像及び右視用映像の一方の停止フレームの映像（この例では左視用映像）が、三次元映像の再生時に他方のフレーム（この例では右視用映像）を表示するタイミングでも表示画面に表示される。
【００２７】
眼鏡制御部１５は、眼鏡７の左眼８Ｌ及び右眼８Ｒの各々に組み込まれた液晶シャッタを制御するための制御信号Ｓ５を、制御信号送信部１６に入力する。制御信号送信部１６は、制御信号Ｓ５を眼鏡７に向けて無線送信する。図５に示すように、時刻Ｔ１以降において映像再生の一時停止を行う場合には、眼鏡７の左眼８Ｌ及び右眼８Ｒはいずれも透光状態（ＯＮ）とされる。
【００２８】
＜変形例＞
図７及び図８は、テレビ５において三次元映像のコンテンツを特殊再生（この例では２倍速の早送り再生）する場合のＳＴＢ４の処理の変形例をそれぞれ示す図である。図２を参照して、命令受信部１１は、２倍速の早送り再生を指定する命令信号Ｓ１を、例えばリモコン（図示しない）から受信することにより、２倍速の早送り再生の実行命令を受け付ける。命令受信部１１は、受信した命令信号Ｓ１を命令処理部１２に入力する。命令処理部１２は、２倍速の早送り再生を指定する制御信号Ｓ２及び制御信号Ｓ４を、映像制御部１３及び眼鏡制御部１５にそれぞれ入力する。
【００２９】
映像制御部１３は、上記コンテンツの左視用映像及び右視用映像の映像信号Ｓ３を記憶部６から読み出す。そして、映像信号Ｓ３に含まれる複数のフレームの中から、早送りの再生速度に応じてフレームを間引いて、早送り再生用の映像信号を生成することにより、当該処理後の映像信号Ｓ３を映像送信部１４に入力する。映像送信部１４は、入力された映像信号Ｓ３をテレビ５に向けて送信する。図７に示した例では、第０フレームの左視用映像Ｆ０Ｌ、第０フレームの右視用映像Ｆ０Ｒ、第２フレームの左視用映像Ｆ２Ｌ、第２フレームの右視用映像Ｆ２Ｒ、第４フレームの左視用映像Ｆ４Ｌ、第４フレームの右視用映像Ｆ４Ｒ、第６フレームの左視用映像Ｆ６Ｌ、第６フレームの右視用映像Ｆ６Ｒ、・・・が、この順にテレビ５の表示画面に表示される。つまり、本変形例では、左視用映像と右視用映像とのペアが表示画面に表示される。
【００３０】
眼鏡制御部１５は、眼鏡７の左眼８Ｌ及び右眼８Ｒの各々に組み込まれた液晶シャッタを制御するための制御信号Ｓ５を、制御信号送信部１６に入力する。制御信号送信部１６は、制御信号Ｓ５を眼鏡７に向けて無線送信する。
【００３１】
図７に示した例では、各フレームの左視用映像Ｆ０Ｌ，Ｆ４Ｌ，・・・をテレビ５に表示するタイミングに同期して、眼鏡７の左眼８Ｌが透光状態（ＯＮ）、右眼８Ｒが遮光状態（ＯＦＦ）とされ、各フレームの左視用映像Ｆ２Ｌ，Ｆ６Ｌ，・・・をテレビ５に表示するタイミングに同期して、眼鏡７の右眼８Ｒが透光状態（ＯＮ）、左眼８Ｌが遮光状態（ＯＦＦ）とされ、各フレームの右視用映像Ｆ０Ｒ，Ｆ２Ｒ，Ｆ４Ｒ，Ｆ６Ｒ，・・・をテレビ５に表示するタイミングに同期して、眼鏡７の左眼８Ｌ及び右眼８Ｒがいずれも遮光状態（ＯＦＦ）とされる。
【００３２】
図８に示した例では、各フレームの左視用映像Ｆ０Ｌ，Ｆ２Ｌ，Ｆ４Ｌ，Ｆ６Ｌ，・・・をテレビ５に表示するタイミングに同期して、眼鏡７の左眼８Ｌ及び右眼８Ｒがいずれも透光状態（ＯＮ）とされ、各フレームの右視用映像Ｆ０Ｒ，Ｆ２Ｒ，Ｆ４Ｒ，Ｆ６Ｒ，・・・をテレビ５に表示するタイミングに同期して、眼鏡７の左眼８Ｌ及び右眼８Ｒがいずれも遮光状態（ＯＦＦ）とされる。
【００３３】
本変形例によれば、左視用映像及び右視用映像のペアをテレビ５に表示しつつも、右視用映像の表示タイミングにおいて眼鏡７の両眼を遮光状態とすることにより、二次元映像によって早送り再生が行われる。従って、ＳＴＢ４によって二次元映像の映像信号Ｓ３Ａを生成する処理が不要となる。また、早送り再生において左視用映像と右視用映像とのペアがずれた場合、例えば右視用映像Ｆ６Ｒの代わりに右視用映像Ｆ５Ｒが挿入された場合であっても、右視用映像Ｆ５Ｒの表示タイミングでは眼鏡７の両眼が遮光状態とされるため、ペアがずれることに起因する映像の違和感を回避できる。なお、早送り再生のみならず巻き戻し再生においても、本変形例を適用することが可能である。
【００３４】
このように本実施の形態に係るＳＴＢ４によれば、映像の特殊再生（早送り再生及び巻き戻し再生の双方を含む）を受け付けた場合には、映像制御部１３は右視用映像及び左視用映像の一方を他方の映像の表示タイミングでもテレビ５に表示し、眼鏡制御部１５は眼鏡７の両眼を透光状態とする。このように、右視用映像及び左視用映像の一方をテレビ５に表示することで、二次元映像を表示しながら早送り再生や巻き戻し再生等の特殊再生を行う。これにより、左視用映像と右視用映像とのペアがずれることに起因する映像の違和感を回避できるため、簡易な処理によって違和感の無い特殊再生を行うことが可能となる。また、特殊再生を行う場合には、眼鏡制御部１５は眼鏡７の両眼を透光状態とするため、左眼８Ｌ及び右眼８Ｒの一方が遮光状態とされることに起因する輝度の低下を防止することが可能となる。
【００３５】
なお、上述の実施の形態では、２倍速の早送り再生及び２倍速の巻き戻し再生を特殊再生の例として説明したが、これに限られるものではない。１倍速を超える、例えば１．５倍速や３倍速の再生速度で早送り再生又は巻き戻し再生を行う場合に本発明を適用してもよい。さらに、１倍速未満の再生速度で早送り再生又は巻き戻し再生を行う場合にも本発明を適用してもよい。
【００３６】
また、本実施の形態に係るＳＴＢ４によれば、映像再生の一時停止を受け付けた場合には、映像制御部１３は右視用映像及び左視用映像の一方の停止フレームの映像（上記の例では左視用映像Ｆ５Ｌ）を他方のフレームでも（再生時に右視用映像Ｆ５Ｒを表示するタイミングでも）テレビ５に表示し、眼鏡制御部１５は眼鏡７の両眼を透光状態とする。このように、映像再生の一時停止を行う際には、映像制御部１３は右視用映像及び左視用映像の一方の停止フレームの映像を他方のフレームでもテレビ５に表示することで、二次元映像を表示しながら映像再生の一時停止を行う。これにより、左視用映像と右視用映像とのペアがずれることに起因する映像の違和感を回避できるため、簡易な処理によって違和感の無い一時停止を行うことが可能となる。また、映像再生の一時停止を行う場合には、眼鏡制御部１５は眼鏡の両眼を透光状態とするため、左眼８Ｌ及び右眼８Ｒの一方が遮光状態とされることに起因する輝度の低下を防止することが可能となる。
【００３７】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００３８】
４  ＳＴＢ
５  テレビ
７  眼鏡
８Ｌ  左眼
８Ｒ  右眼
１３  映像制御部
１５  眼鏡制御部
【図１】
0005341942.tif 000002
【図２】
0005341942.tif 000003
【図３】
0005341942.tif 000004
【図４】
0005341942.tif 000005
【図５】
0005341942.tif 000006
【図６】
0005341942.tif 000007
【図７】
0005341942.tif 000008
【図８】
0005341942.tif 000009